(57)【要約】【課題】物体の欠損部に流体を迅速かつ確実に注入し得るシリンジ、および、かかるシリンジを有する処置セットを提供すること。【解決手段】脊椎後方固定術に使用される処置セットは、シリンジ１と、シリンジ１とともに使用されるガイドワイヤ２とを有している。シリンジ１は、骨補填材Ｆを収納する外筒３と、外筒３の先端部に設けられた細長い排出管４と、外筒３内で液密に摺動するガスケット５と、ガスケット５に連結され、ガスケット５を外筒３内で移動操作するプランジャ６とを備えている。プランジャ６は、長尺のプランジャ本体６１を備え、プランジャ本体６１は、その軸方向に沿って形成された貫通孔６０を備えている。このようなシリンジ１は、貫通孔６０および排出管４に、ガイドワイヤ２を挿通した状態で使用される。【選択図】図３
2018102551.tif 000002
【特許請求の範囲】
【請求項１】
流体を収納可能な外筒と、
前記外筒の先端部から突出し、前記流体を排出する排出口と、
前記外筒内に摺動可能に設けられたガスケットと、
軸方向に沿って形成された貫通孔を備え、前記ガスケットを前記外筒内で移動操作するプランジャとを有することを特徴とするシリンジ。
【請求項２】
前記貫通孔の中心軸と前記排出口の中心軸とがほぼ一致している請求項１に記載のシリンジ。
【請求項３】
前記排出口の中心軸と前記外筒の中心軸とがほぼ一致している請求項１または２に記載のシリンジ。
【請求項４】
前記プランジャは、長尺のプランジャ本体を備え、
前記プランジャ本体の横断面積をＸ［ｍｍ２］とし、前記貫通孔の横断面積をＹ［ｍｍ２］としたとき、Ｘ／Ｙが３以上２００以下である請求項１ないし３のいずれか１項に記載のシリンジ。
【請求項５】
前記外筒は、筒状の本体と、該本体の先端部に螺合により装着され、前記排出口が接続された蓋体とを備える請求項１ないし４のいずれか１項に記載のシリンジ。
【請求項６】
当該シリンジは、前記貫通孔および前記排出口に、長尺部材を挿通した状態で使用される請求項１ないし５のいずれか１項に記載のシリンジ。
【請求項７】
前記長尺部材を前記貫通孔および前記排出口に挿通した際に、前記ガスケットは、前記長尺部材により刺通された状態となり、この状態で前記長尺部材の外面に密着する請求項６に記載のシリンジ。
【請求項８】
前記貫通孔の横断面積をＹ［ｍｍ２］とし、前記長尺部材の横断面積をＺ［ｍｍ２］としたとき、Ｙ／Ｚが１．１以上２００以下である請求項６または７に記載のシリンジ。
【請求項９】
前記長尺部材の横断面積をＺ［ｍｍ２］とし、前記排出口の内腔部の横断面積をＷ［ｍｍ２］としたとき、Ｗ／Ｚが１．５以上２００以下である請求項６ないし８のいずれか１項に記載のシリンジ。
【請求項１０】
前記長尺部材は、ガイドワイヤである請求項６ないし９のいずれか１項に記載のシリンジ。
【請求項１１】
物体の欠損部に流体を注入するのに使用される処置セットであって、
請求項１ないし１０のいずれか１項に記載のシリンジと、
前記貫通孔および前記排出口に挿通され、前記シリンジの前記排出口を前記欠損部またはその近傍に案内する長尺部材とを有することを特徴とする処置セット。
【請求項１２】
さらに、前記長尺部材を挿通可能な貫通孔を備え、前記欠損部に挿入される挿入具を有する請求項１１に記載の処置セット。
【請求項１３】
前記長尺部材は、ガイドワイヤである請求項１１または１２に記載の処置セット。
【請求項１４】
前記流体は、その粘度が１０５ｍＰａ・ｓ以上１０９ｍＰａ・ｓ以下である請求項１１ないし１３のいずれか１項に記載の処置セット。
【発明の詳細な説明】
【技術分野】
【０００１】
本発明は、シリンジおよび処置セットに関する。
【背景技術】
【０００２】
例えば、脊椎変性すべり症・分離すべり症、脊柱管狭窄症、椎間板ヘルニア、圧迫骨折等に対する治療として、脊椎後方固定術が行われている。
【０００３】
この脊椎後方固定術では、個々の椎骨にスクリューを螺合させ、これらのスクリューを上下の椎骨に跨る矯正用ロッドに結合する。これにより、上下の椎骨は、それらの離間距離が適切な大きさに保持されて固定される。その結果、神経の圧迫が除去された状態で、脊椎の安定性が確保される。
【０００４】
このような脊椎後方固定術において、椎骨（骨）が十分な強度を有する場合には、スクリューは、直接または下穴を穿けた後に椎骨に螺合されるが、これでも椎骨とスクリューとの間に十分な結合強度を得ることができる。
【０００５】
しかしながら、椎骨の表面を構成する皮質骨が薄くなったり、内部の海綿骨の骨梁が細くなっている場合には、椎骨が十分な強度を有しないため、前記と同様にして椎骨にスクリューを螺合させても、椎骨とスクリューとの間で十分な固定強度が得られない場合がある。そのため、上下の椎骨同士の離間距離を適切な大きさに保つことや、そもそも脊椎後方固定術を施術することができないという問題がある。
【０００６】
これらの問題を解消することを目的に、椎骨に形成した下穴に骨補填材（人工骨）を挿入した後、この骨補填材を介して椎骨にスクリューを螺合させる方法が提案されている（例えば、特許文献１参照）。かかる作業は、患者の負担を軽減するためにも迅速に行うことが重要である。
【先行技術文献】
【特許文献】
【０００７】
【特許文献１】特開２０００−８４０６２号公報
【発明の概要】
【発明が解決しようとする課題】
【０００８】
本発明の目的は、例えば、椎骨（物体）に形成した下穴（欠損部）に骨補填材（流体）を迅速かつ確実に注入し得るシリンジ、および、かかるシリンジを有する処置セットを提供することにある。
【課題を解決するための手段】
【０００９】
このような目的は、下記（１）〜（１４）に記載の本発明により達成される。
（１）  流体を収納可能な外筒と、
前記外筒の先端部から突出し、前記流体を排出する排出口と、
前記外筒内に摺動可能に設けられたガスケットと、
軸方向に沿って形成された貫通孔を備え、前記ガスケットを前記外筒内で移動操作するプランジャとを有することを特徴とするシリンジ。
【００１０】
これにより、シリンジを案内する長尺部材とともに使用することが可能となり、物体の欠損部に流体を迅速かつ確実に注入することができる。
【００１１】
（２）  前記貫通孔の中心軸と前記排出口の中心軸とがほぼ一致している上記（１）に記載のシリンジ。
【００１２】
これにより、長尺部材とともに使用する場合には、長尺部材を貫通孔および排出口により容易かつ迅速に挿通することができる。
【００１３】
（３）  前記排出口の中心軸と前記外筒の中心軸とがほぼ一致している上記（１）または（２）に記載のシリンジ。
【００１４】
これにより、長尺部材とともに使用する場合には、長尺部材を貫通孔および排出口により容易かつ迅速に挿通することができる。
【００１５】
（４）  前記プランジャは、長尺のプランジャ本体を備え、
前記プランジャ本体の横断面積をＸ［ｍｍ２］とし、前記貫通孔の横断面積をＹ［ｍｍ２］としたとき、Ｘ／Ｙが３以上２００以下である上記（１）ないし（３）のいずれかに記載のシリンジ。
【００１６】
これにより、プランジャ本体の機械的強度が低下するのを防止しつつ、長尺部材とともに使用する場合には、長尺部材を挿通するのに十分なサイズの貫通孔を確保することができる。
【００１７】
（５）  前記外筒は、筒状の本体と、該本体の先端部に螺合により装着され、前記排出口が接続された蓋体とを備える上記（１）ないし（４）のいずれかに記載のシリンジ。
【００１８】
蓋体が本体に螺合により装着されることで、外筒内の流体へ付与される圧力が大きい場合でも、本体から離脱し難い。このため、流体を欠損部に確実に注入することができる。
【００１９】
（６）  当該シリンジは、前記貫通孔および前記排出口に、長尺部材を挿通した状態で使用される上記（１）ないし（５）のいずれかに記載のシリンジ。
これにより、長尺部材を利用してシリンジを前進させることができる。
【００２０】
（７）  前記長尺部材を前記貫通孔および前記排出口に挿通した際に、前記ガスケットは、前記長尺部材により刺通された状態となり、この状態で前記長尺部材の外面に密着する上記（６）に記載のシリンジ。
【００２１】
これにより、プランジャを操作してガスケットを先端方向に向かって移動させても、外筒内の流体が貫通孔に入り込むことが阻止される。
【００２２】
（８）  前記貫通孔の横断面積をＹ［ｍｍ２］とし、前記長尺部材の横断面積をＺ［ｍｍ２］としたとき、Ｙ／Ｚが１．１以上２００以下である上記（６）または（７）に記載のシリンジ。
これにより、長尺部材を円滑に貫通孔に挿通することができる。
【００２３】
（９）  前記長尺部材の横断面積をＺ［ｍｍ２］とし、前記排出口の内腔部の横断面積をＷ［ｍｍ２］としたとき、Ｗ／Ｚが１．５以上２００以下である上記（６）ないし（８）のいずれかに記載のシリンジ。
【００２４】
これにより、長尺部材を排出口に挿通した状態でも、外筒内から流体を円滑に排出することができる。
【００２５】
（１０）  前記長尺部材は、ガイドワイヤである上記（６）ないし（９）のいずれかに記載のシリンジ。
【００２６】
（１１）  物体の欠損部に流体を注入するのに使用される処置セットであって、
上記（１）ないし（１０）のいずれかに記載のシリンジと、
前記貫通孔および前記排出口に挿通され、前記シリンジの前記排出口を前記欠損部またはその近傍に案内する長尺部材とを有することを特徴とする処置セット。
これにより、物体の欠損部に流体を迅速かつ確実に充填することができる。
【００２７】
（１２）  さらに、前記長尺部材を挿通可能な貫通孔を備え、前記欠損部に挿入される挿入具を有する上記（１１）に記載の処置セット。
かかる構成の挿入具であれば、欠損部に迅速かつ確実に挿入することができる。
【００２８】
（１３）  前記長尺部材は、ガイドワイヤである上記（１１）または（１２）に記載の処置セット。
【００２９】
（１４）  前記流体は、その粘度が１０５ｍＰａ・ｓ以上１０９ｍＰａ・ｓ以下である上記（１１）ないし（１３）のいずれかに記載の処置セット。
【００３０】
かかる粘度を有する流体であれば、排出口と長尺部材との間の狭い空間を円滑に通過させることができる。
【発明の効果】
【００３１】
本発明によれば、シリンジを案内する長尺部材とともに使用することにより、物体の欠損部に流体を迅速かつ確実に充填することができる。
【図面の簡単な説明】
【００３２】
【図１】シリンジの実施形態を示す部分断面側面図である。
【図２】図１のシリンジに骨補填材を収納した状態を示す部分断面側面図である。
【図３】図２のシリンジにガイドワイヤを挿通した状態を示す部分断面側面図である。
【図４】図３のシリンジのプランジャを移動操作した状態を示す部分断面側面図である。
【図５】スクリューの構成を示す側面図である。
【図６】脊椎後方固定術を説明するための図である。
【図７】脊椎後方固定術を説明するための図である。
【図８】脊椎後方固定術を説明するための図である。
【図９】脊椎後方固定術を説明するための図である。
【図１０】脊椎後方固定術を説明するための図である。
【図１１】脊椎後方固定術を説明するための図である。
【図１２】脊椎後方固定術を説明するための図である。
【発明を実施するための形態】
【００３３】
以下、本発明のシリンジおよび処置セットを添付図面に示す好適実施形態に基づいて詳細に説明する。
【００３４】
＜処理セット＞
図１は、シリンジの実施形態を示す部分断面側面図、図２は、図１のシリンジに骨補填材を収納した状態を示す部分断面側面図、図３は、図２のシリンジにガイドワイヤを挿通した状態を示す部分断面側面図、図４は、図３のシリンジのプランジャを移動操作した状態を示す部分断面側面図、図５は、スクリューの構成を示す側面図、図６〜図１２は、脊椎後方固定術を説明するための図である。なお、以下では、図１〜図４中の左側を「先端」または「先端側」と言い、右側を「基端」または「基端側」と言う。また、図６〜図１１中の上側を「先端」または「先端側」と言い、下側を「基端」または「基端側」と言う。
【００３５】
本実施形態の処置セットは、脊椎後方固定術に使用される手術セットである。この処置セットは、シリンジ１と、シリンジ１とともに使用されるガイドワイヤ２（長尺部材）、スクリュー１０（挿入具）およびロッド２０とを有している。
【００３６】
＜＜シリンジ＞＞
シリンジ１は、図１に示すように、外筒３と、外筒３の先端部に設けられた細長い排出管４（排出口）と、外筒３内で液密に摺動するガスケット５と、ガスケット５に連結され、ガスケット５を外筒３内で移動操作するプランジャ６とを備えている。
【００３７】
外筒３内には、ガスケット５により囲まれる内部空間が画成される。内部空間の容積は、特に限定されないが、好ましくは２０ｍＬ以上３００ｍＬ以下程度、より好ましくは５０ｍＬ以上２００ｍＬ以下程度とされる。この内部空間には、図２に示すように、ペースト状の骨補填材Ｆが収納される。この骨補填材Ｆとしては、例えば、セメント粉剤と硬化液との混合物が挙げられる。
【００３８】
セメント粉剤としては、例えば、α型第３リン酸カルシウム、第４リン酸カルシウム等を主成分とするセメントが挙げられる。具体的には、セメント粉剤としては、α型第３リン酸カルシウムまたは第４リン酸カルシウム単体およびこれらの混合物、α型第３リン酸カルシウムと第２リン酸カルシウムおよび／または第１リン酸カルシウムとの混合物、第４リン酸カルシウムと第２リン酸カルシウムおよび／または第１リン酸カルシウムとの混合物、α型第３リン酸カルシウムと第４リン酸カルシウムと第２リン酸カルシウムおよび／または第１リン酸カルシウム等の混合物等が好適に用いられる。
【００３９】
一方、硬化液としては、例えば、水、ポリアクリル酸、クエン酸、リンゴ酸またはこれらの混合物のような有機酸を溶解した水溶液、塩化ナトリウム、コンドロイチン硫酸ナトリウム、コハク酸ナトリウム、乳酸ナトリウムまたはこれらの混合物のような水溶性塩類を溶解した水溶液等が好適に用いられる。
【００４０】
外筒３は、円筒状の本体３１と、本体３１の先端部に装着される蓋体３２とで構成されている。本体３１の先端部外周には、ネジ山３１１が形成され、蓋体３２の基端側内周には、ネジ溝３２１が形成されている。したがって、本実施形態では、蓋体３２は、螺合により本体３１に装着される。なお、蓋体３２は、嵌合により本体３１に装着されるように構成されていてもよい。
【００４１】
また、外筒３（本体３１）の基端外周には、板状のフランジ３１２が一体的に形成されている。プランジャ６を外筒３に対し相対的に移動操作する際等には、このフランジ３１２に指等を掛けて操作を行うことができる。
【００４２】
蓋体３２の先端中央部には、外筒３（蓋体３２）の胴部より縮径し、先端方向に向かって突出する接続部３２２が一体的に形成されている。この接続部３２２の内側に排出管４の基端部が挿入、固定されている。排出管４の接続部３２２への固定方法は、特に限定されないが、例えば、カシメ、接着剤による接着、融着等が挙げられる。
【００４３】
外筒３およびプランジャ６の構成材料としては、それぞれ、例えば、ポリ塩化ビニル、ポリエチレン、ポリプロピレン、ポリスチレン、ポリ−（４−メチルペンテン−１）、ポリカーボネート、ポリエステル、ポリアミド、ポリエーテルスルホン、ポリスルホン、アクリル樹脂等が挙げられ、これらのうちの１種または２種以上を組み合わせて用いることができる。
【００４４】
排出管４は、その基端部が蓋体３２に固定され、先端部が骨補填材Ｆを補填すべき位置に導入され、この先端部から骨補填材を排出する。
【００４５】
排出管４の構成材料としては、例えば、ステンレス鋼、アルミニウムまたはアルミニウム合金、チタンまたはチタン合金等が挙げられる。また、外筒およびプランジャの構成材料として挙げた上記の樹脂であってもよい。
【００４６】
また、排出管４の長さは、特に限定されないが、好ましくは３０ｍｍ以上１４０ｍｍ以下程度、より好ましくは６０ｍｍ以上１００ｍｍ以下程度である。
【００４７】
さらに、後に詳述するが、排出管４は、ガイドワイヤ２を挿通した状態で、骨補填材Ｆをその先端部から排出する必要がある。そのため、ガイドワイヤ２の横断面積をＺ［ｍｍ２］とし、排出管４の内腔部の横断面積をＷ［ｍｍ２］としたとき、Ｗ／Ｚが１．５以上２００以下程度であることが好ましく、４以上１００以下程度であることがより好ましい。Ｗ／Ｚを前記範囲とすることにより、ガイドワイヤ２を排出管４に挿通した状態としても、骨補填材Ｆを円滑に排出することができる。
【００４８】
排出管４の内腔部の横断面積の具体的な値は、特に限定されないが、３ｍｍ２以上２００ｍｍ２以下程度であることが好ましく、１０ｍｍ２以上１００ｍｍ２以下程度がより好ましい。このようなサイズの排出管４であれば、一般的に使用されるガイドワイヤ２を無理なく挿通することができるとともに、骨補填材Fを円滑に排出することができる。
【００４９】
外筒３内には、弾性材料で構成されたガスケット５が収納されている。このガスケット５は、プランジャ６の操作により、外筒３の軸方向（長手方向）に沿って摺動する。
【００５０】
ガスケット５の構成材料（弾性材料）としては、例えば、天然ゴム、ブチルゴム、イソプレンゴム、ブタジエンゴム、スチレン−ブタジエンゴムのようなゴム材料、熱可塑性エラストマー、またはこれらの混合物等が挙げられる。
【００５１】
なお、ガスケット５の外周には、被覆層が形成されていてよい。この被覆層の構成材料としては、例えば、ポリテトラフルオロエチレン、エチレン−テトラフルオロエチレン共重合体、四フッ化エチレンのようなフッ素系樹脂等が挙げられる。これにより、ガスケット５の外筒３に対する摺動性が向上する。
【００５２】
このようなガスケット５は、図示を省略するが、中空部を有しており、この中空部にプランジャ６のヘッド部が嵌合され、これにより、ガスケット５にプランジャ６が連結されている。
【００５３】
プランジャ６は、長尺のプランジャ本体６１と、このプランジャ本体６１の基端外周に一体的に形成された板状のフランジ６２とで構成されている。フランジ６２に指等を掛けて、プランジャ６を操作することができる。
【００５４】
このプランジャ６（プランジャ本体６１）は、その軸方向に沿って形成された貫通孔６０を備えている。本実施形態では、図３に示すように、シリンジ１は、貫通孔６０および排出管４に、ガイドワイヤ２を挿通した状態で使用される。
【００５５】
プランジャ本体６１の横断面積をＸ［ｍｍ２］とし、貫通孔６０の横断面積をＹ［ｍｍ２］としたとき、Ｘ／Ｙが３以上２００以下程度であることが好ましく、４以上１００以下程度であることがより好ましい。Ｘ／Ｙを前記範囲とすることにより、プランジャ本体６１の機械的強度が低下するのを防止しつつ、ガイドワイヤ２を挿通するのに十分なサイズの貫通孔６０を確保することができる。
【００５６】
ここで、「横断面」とは、部材または空間の軸方向（長手方向）に対して垂直な面または領域を言い、「横断面積」とは、かかる面または領域の大きさのことを言う。
【００５７】
また、貫通孔６０の横断面積をＹ［ｍｍ２］とし、ガイドワイヤ２の横断面積をＺ［ｍｍ２］としたとき、Ｙ／Ｚが１．１以上２００以下程度であることが好ましく、１．５以上１００以下程度であることがより好ましい。Ｙ／Ｚを前記範囲とすることにより、ガイドワイヤ２を円滑に貫通孔６０に挿通することができる。
【００５８】
貫通孔６０の横断面積の具体的な値は、特に限定されないが、２ｍｍ２以上２００ｍｍ２以下程度であることが好ましく、１０ｍｍ２以上１２０ｍｍ２以下程度であることがより好ましい。このようなサイズの貫通孔６０であれば、一般的に使用されるガイドワイヤ２を無理なく挿通することができる。
【００５９】
また、貫通孔６０の横断面の形状は、特に限定されず、例えば、円形状、楕円形状、三角形状、四角形状、五角形状、六角形状のような多角形状、星形状のような異形状等のいかなる形状であってもよい。
【００６０】
本実施形態では、貫通孔６０の中心軸は、排出管４の中心軸とほぼ一致しており、さらに排出管４の中心軸は、外筒３の中心軸とがほぼ一致している。かかる構成により、貫通孔６０、排出管４および外筒３が同心的に配置されるため、ガイドワイヤ２を貫通孔６０および排出管４により容易かつ迅速に挿通することができる。
【００６１】
このようなシリンジ１では、図３および図４に示すように、排出管４にガイドワイヤ２を挿通した状態で、プランジャ６を操作してガスケット５を先端方向に向かって移動させることにより、外筒３の内部空間の容積を減少させる。これにより、骨補填材Ｆを排出管４とガイドワイヤ２との間の空間を通過させ、排出管４の先端から排出させる。
【００６２】
このため、骨補填材Ｆは、十分な流動性（十分に低い粘度）を有することが好ましい。具体的には、骨補填材Ｆの粘度は、１０５ｍＰａ・ｓ以上１０９ｍＰａ・ｓ以下程度であることが好ましく、１０６ｍＰａ・ｓ以上１０８ｍＰａ・ｓ以下程度であることがより好ましい。かかる粘度を有する骨補填材Ｆであれば、排出管４とガイドワイヤ２との間の狭い空間を円滑に通過させることができる。
【００６３】
また、排出管４および貫通孔６０にガイドワイヤ２を挿通する際には、ガイドワイヤ２は、ガスケット５の先端中央部を刺通することになる。このため、ガスケット５の先端中央部には、ガイドワイヤ２が通過する孔を予め形成するようにしてもよいし、形成しなくてもよい。
【００６４】
前者の場合、形成する孔の横断面積は、ガイドワイヤ２の横断面積より小さく設定される。一方、後者の場合、ガイドワイヤ２がガスケット５を刺通することにより、ガスケット５の先端中央部に孔が形成される。
【００６５】
ガスケット５は、前述したように弾性材料で構成されるため、上記いずれの場合でも、刺通されたガイドワイヤ２の外面に密着して液密性が確保される。このため、図３に示す状態から、プランジャ６を操作してガスケット５を先端方向に向かって移動させても、骨補填材Ｆが貫通孔６０に入り込む（逆流する）ことが阻止される。
【００６６】
＜＜スクリュー＞＞
以上のようなシリンジ１とともに、スクリュー１０（挿入具）も使用される。このスクリュー１０は、図５（ａ）に示すように、正面視においてＵ字状の頭部を備えるスクリュー本体１１と、スクリュー本体１１の頭部に螺合により装着されるロッキングキャップ１２とを備えている。また、スクリュー本体１１には、軸方向に沿って貫通孔１１１が形成されている。この貫通孔１１１の横断面積も、貫通孔６０の横断面積と同様に設定することができる。
【００６７】
このようなスクリュー１０では、図５（ｂ）に示すように、頭部の内側にロッド２０を位置させ、ロッキングキャップ１２を頭部に螺合させ、締め付けることにより、ロッド２０をスクリュー１０に固定することができる。
【００６８】
スクリュー１０およびロッド２０の構成材料としては、それぞれ、例えば、チタンまたはチタン合金、ステンレス鋼のような各種金属材料、ハイドロキシアパタイトのような各種バイオセラミックス等が挙げられる。
【００６９】
＜脊椎後方固定術＞
次に、処置セットの使用方法の一例、すなわち処置セットを用いた脊椎後方固定術について説明する。
【００７０】
［１］  まず、セメント粉剤と硬化液と混合してペースト状の骨補填材Ｆを調製する。この操作は、セメント粉剤と硬化液と所定の乳鉢セットを用いて混練することにより行うことができる。これに代えて、この操作は、本体３１から蓋体３２を取り外し、本体３１内にセメント粉剤を供給した後、硬化液を収納した別のシリンジと本体３１とを接続し、この状態を維持しつつ、別のシリンジから硬化液を本体３１内に供給して、本体３１と別のシリンジ内で混合物を数回にわたって往復移動させることで混練することもできる。
【００７１】
［２］  次に、前者の場合、本体３１から蓋体３２を取り外し、本体３１内に骨補填材Ｆを供給した後、本体３１に蓋体３２を螺合により装着する。後者の場合、本体３１から別のシリンジを取り外した後、本体３１に蓋体３２を螺合により装着する。このようにして、図２に示すように、骨補填材Ｆを外筒３内に収納した状態のシリンジ１を準備する。
【００７２】
［３］  次に、患者の背中の所定の位置をメスで切開して、処置すべき椎骨９を露出させる。その後、椎骨９の神経を圧迫している部位を取り除く。さらに、椎弓９２が有する横突起および椎間関節の表面の一部を取り除く。これにより、骨補填材Ｆの椎骨９への付きが良好になり、また、椎弓９２へのスクリュー１０の取り付けを容易に行うことができる。
【００７３】
［４］  次に、Ｘ線等の透視下で、椎弓９２のスクリュー１０を螺合すべき位置に、図６に示すように、椎体９１に向けてプローベ３０（処置具）を穿刺する。これにより、椎骨９の左右両側には、各椎弓９２から椎体９１に向けて、下穴９３（欠損部）が形成される。なお、下穴９３は、椎体９１内の海綿骨に到達してもよいし、到達していなくてもよい。
【００７４】
［５］  次に、図７に示すように、ガイドワイヤ２の先端部を下穴９３に挿入する。その後、この状態を維持しつつ、ガイドワイヤ２を基端から、排出管４に挿通し、ガイドワイヤ２に沿ってシリンジ１を椎骨９に向けて前進させる。これにより、シリンジ１は、ガイドワイヤ２に案内されて、その排出管４の先端側が、図８に示すように、下穴９３に挿入される。このとき、ガイドワイヤ２は、図３に示すように、ガスケット５を刺通した後、貫通孔６０に挿通される。
【００７５】
［６］  次に、図４に示すように、プランジャ６を操作することによりガスケット５を先端方向に移動させ、骨補填材Ｆを排出管４の先端部から排出する。これにより、骨補填材Ｆを椎体９１および下穴９３に注入（充填）する。
【００７６】
このとき、蓋体３２が本体３１に螺合しているため、プランジャ６に付与する押圧力（すなわち、外筒３内の骨補填材Ｆへ付与される圧力）が大きい場合でも、本体３１から離脱し難い。このため、骨補填材Ｆを椎体９１および下穴９３に確実に注入することができる。その後、図９に示すように、ガイドワイヤ２を残して、シリンジ１を抜去する。
【００７７】
［７］  次に、スクリュー本体１１の貫通孔１１１に残されたガイドワイヤ２を挿通し、スクリュー本体１１をガイドワイヤ２に沿って椎骨９に向けて前進させる。これにより、スクリュー本体１１は、ガイドワイヤ２により案内されて、そのネジ部が下穴９３に挿入される。その後、図示しない治具を用いて、スクリュー本体１１を回転させることにより、図１０に示すように、スクリュー本体１１が椎骨９に固定される。
【００７８】
［８］  次に、スクリュー本体１１を残して、図１１に示すように、ガイドワイヤ２を抜去する。
【００７９】
以上の工程［３］〜［８］を、神経を圧迫している上下（複数）の椎骨９に対して実施する。
【００８０】
［９］  次に、図１２に示すように、上下に位置する椎骨９の下穴９３に固定されたスクリュー本体１１に跨るようにして、ロッド２０を配置する。その後、各スクリュー本体１１の頭部にロッキングキャップ１２を螺合により装着した後、締め付けることにより、ロッド２０がスクリュー１０に固定される。これにより、上下の椎骨９は、それらの離間距離が適切な大きさに保たれて固定される。その結果、神経の圧迫が除去された状態で、脊椎の安定性が確保される。
【００８１】
［１０］  次に、横突起および椎間関節の一部を取り除いた位置に、自家骨または人工骨を配置する。これにより、上下の椎骨９同士を、より強固に固定することができ、脊椎の安定性をより確実に確保することができる。なお、自家骨または人工骨の脊椎への配置を省略するようにしてもよい。
【００８２】
そして、脊椎後方固定術が終了した後に、術部（切開部）に対し縫合、結紮等を行い、手術を終了する。
【００８３】
以上説明したような手技によれば、シリンジ１やスクリュー本体１１を、ガイドワイヤ２に沿って椎骨９に向かって前進させるため、シリンジ１の排出管４やスクリュー本体１１のネジ部を下穴９３に迅速かつ確実に挿入することができる。その結果、骨補填材Ｆを椎体９１および下穴９３に注入（充填）することや、スクリュー本体１１を椎骨９（椎弓９２）に固定することをより容易に行うことができる。
【００８４】
また、骨補填材Ｆは、下穴９３において椎骨９とスクリュー本体１１のネジ部との間に介在して、スクリュー本体１１の足場として機能する。これにより、スクリュー本体１１は、十分な固定強度で椎骨９に固定される。
【００８５】
さらに、このようなガイドワイヤ２とシリンジ１とスクリュー１０とを用いた手技によれば、患者の背中の切開部分を極めて小さくすることもできる。このようなことから、患者への負担を軽減しつつ、確実かつ安全な手術（脊椎後方固定術）を行うことができる。
【００８６】
以上、本発明のシリンジおよび処置セットを図示の実施形態に基づいて説明したが、本発明は、これに限定されるものではない。例えば、本発明のシリンジおよび処置セットは、各部の構成を同様の機能を発揮し得る任意の構成と置換することができ、任意の構成を付加することもできる。
【００８７】
なお、本発明のシリンジおよび処置セットは、脊椎後方固定術のみならず、椎体、大腿骨のような長骨の骨欠損部の補修、整復を要する骨折部に対する補修や固定の補助、金属製の人工材料の骨に対する固定、人工関節と骨母床との間の間隙への骨補填材の充填等に使用することができる。本発明のシリンジは、特に、椎体圧迫骨折の手技に用いることが好適である。従来のシリンジは、ガイドワイヤで案内することができなかったので、視野確保のため椎体を大きく露出する必要があり、どうしても背中の切開部分が大きくなってしまっていた。しかし、本発明のシリンジは、ガイドワイヤに案内されて、椎体に接近させることができるので、切開部分は非常に小さくてすむ。
【００８８】
また、大腿骨の転子部骨折の手術においてはネイル等を用いる場合があるが、この場合、シリンジはネイル等を固定するための取付装置越しにガイドワイヤで案内するので、排出管は長いほうがよい。具体的に排出管の長さは、好ましくは１００ｍｍ以上６００ｍｍ以下程度、より好ましくは３００ｍｍ以上４５０ｍｍ以下程度に設定される。
【００８９】
また、本発明のシリンジとともに用いられる長尺部材（本発明の処置セットが有する長尺部材）は、ガイドワイヤに限らず、例えば、カテーテルのような中空の部材であってもよい。さらに、本発明のシリンジとともに用いられる挿入具は、スクリューに限らず、例えば、骨栓のような栓体であってもよい。なお、本発明のシリンジは、単独で使用することもできる。
【００９０】
さらに、本発明のシリンジおよび処置セットを使用可能な物体は、骨に限らず、例えば、電子部品、建築部品等であってもよい。特に、生体、電子機器や建築物の内部に位置し、これらの外部から目視で確認し難い物体の欠損部に流体（例えば、接着剤、封止材、洗浄液等）を注入するのに、本発明のシリンジおよび処置セットが好適に使用される。
【００９１】
また、本発明のシリンジおよび処置セットにおいて使用可能な流体は、ペースト状（ゲル状）の形態に限らず、例えば、液状、顆粒状、粉末状等の形態であってもよい。
【符号の説明】
【００９２】
１          シリンジ
２          ガイドワイヤ
３          外筒
３１        本体
３１１      ネジ山
３１２      フランジ
３２        蓋体
３２１      ネジ溝
３２２      接続部
４          排出管
５          ガスケット
６          プランジャ
６０        貫通孔
６１        プランジャ本体
６２        フランジ
９          椎骨
９１        椎体
９２        椎弓
９３        下穴
１０        スクリュー
１１        スクリュー本体
１１１      貫通孔
１２        ロッキングキャップ
２０        ロッド
３０        プローベ
Ｆ          骨補填材
【図１】
2018102551.tif 000003
【図２】
2018102551.tif 000004
【図３】
2018102551.tif 000005
【図４】
2018102551.tif 000006
【図５】
2018102551.tif 000007
【図６】
2018102551.tif 000008
【図７】
2018102551.tif 000009
【図８】
2018102551.tif 000010
【図９】
2018102551.tif 000011
【図１０】
2018102551.tif 000012
【図１１】
2018102551.tif 000013
【図１２】
2018102551.tif 000014